(57)【要約】固体化学物質の水溶液を作成するための低流量装置が、提供される。固体化学物質を含むカートリッジも提供され、カートリッジは、装置の中に設置され得る。装置を使用して固体化学物質から化学溶液を作成する方法が、さらに、提供される。一実施形態において、カートリッジは、水処理装置の内部コンパートメントの中に収まるように適合されており、カートリッジの第１の端部は、水が内部チャンバ内の固体化学物質と接触することを可能にするための多孔質グリッドを備えている。
2019535517.tif 000002
【特許請求の範囲】
【請求項１】
固体化学物質から化学物質の水溶液を形成するための装置であって、前記装置は、
（ｉ）上部と、側面と、底部とを有する筐体であって、前記上部および前記底部は、前記側面によって互いに接続され、前記上部、前記側面、および前記底部は、内部コンパートメントを形成し、前記筐体は、上側部分と、下側部分とを有する、筐体と、
（ｉｉ）前記筐体の前記下側部分の中に位置している入口であって、前記入口は、前記固体化学物質と接触させられるべき水が前記筐体に進入することを可能にする、入口と、
（ｉｉｉ）前記筐体の前記上側部分の中に位置している出口であって、前記固体化学物質と接触させられた前記水が前記筐体から退出することを可能にする、出口と、
（ｉｖ）前記内部コンパートメント内に配置されたノズルであって、前記ノズルは、前記水入口に接続され、前記ノズルは、前記筐体の前記下側部分において前記筐体の前記内部コンパートメント内に位置し、前記入口を通って前記筐体に進入する水が前記固体化学物質と接触することを可能にする、ノズルと、
（ｖ）前記ノズルと前記筐体の上部との間に位置付けられ、前記内部コンパートメント内に位置している少なくとも１つの支持体であって、前記支持体は、前記固体化学物質を含むカートリッジを受け取り、それを前記筐体の内部コンパートメント内に位置付けるように、または前記筐体の中で固体化学物質を支持するように適合されている、少なくとも１つの支持体と
を備えている、装置。
【請求項２】
前記筐体の前記上部は、固体化学物質を含むカートリッジまたは固体化学物質が前記筐体の中に挿入されることを可能にする開口部を備え、前記装置は、キャップをさらに備え、前記キャップは、前記筐体の前記開口部をおおうように、かつ前記筐体の前記上部との水密接続を形成するように適合されている、請求項１に記載の装置。
【請求項３】
前記キャップは、前記開口部をあらわにするために、かつ前記固体化学物質または前記固体化学物質を含むカートリッジが前記筐体の前記内部コンパートメントの中に挿入されることを可能にするために、前記筐体から除去可能である、請求項２に記載の装置。
【請求項４】
前記ノズルは、エダクターを備えている、請求項１に記載の装置。
【請求項５】
前記エダクターは、前記エダクターから前記筐体の前記上部に向かう水流が前記筐体内に存在するように、前記筐体の中に位置付けられている、請求項４に記載の装置。
【請求項６】
前記エダクターは、少なくとも１つの流体吸入ポートを備え、前記少なくとも１つの流体吸入ポートは、ベンチュリ効果を生成し、前記筐体の前記下側部分の中の水が、前記入口を通って前記エダクターに進入する水を伴って前記エダクターに引き込まれることと、前記筐体の前記上部に向かって噴霧されることとを可能にする、請求項５に記載の装置。
【請求項７】
カートリッジをさらに備え、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、前記筐体の前記上部と前記ノズルとの間において前記筐体の前記内部コンパートメントの中に収まるように適合され、前記カートリッジは、前記筐体の前記内部コンパートメントの中に位置している前記少なくとも１つの支持体と接触し、前記少なくとも１つの支持体は、前記カートリッジが前記筐体における前記開口部を通して前記内部コンパートメントの中に挿入され得るように、前記筐体の前記内部コンパートメント内に前記固体化学物質を含む前記カートリッジを位置付ける、請求項２に記載の装置。
【請求項８】
前記カートリッジの第１の端部は、多孔質グリッドを備え、前記カートリッジが前記筐体の前記内部コンパートメントの中に位置付けられるとき、前記カートリッジは、前記第１の端部が前記ノズルの近傍に位置付けられ、前記第２の端部が前記筐体の前記上部の近傍に位置付けられるように、前記筐体の中に挿入される、請求項７に記載の装置。
【請求項９】
前記多孔質グリッドは、第１の表面と、反対側の第２の表面とを有し、前記第１の表面は、前記第１の表面から離れ、前記カートリッジの内側チャンバに向かって外向きに延びている複数の突起を備え、前記多孔質グリッドの第２の表面は、前記カートリッジの内部チャンバから見て外方に向いている、請求項８に記載の装置。
【請求項１０】
前記複数の突起は、前記第１の表面から略垂直方向に延びている、請求項９に記載の装置。
【請求項１１】
前記複数の突起は、第１の端部と、第２の端部とを有し、前記突起の前記第１の端部は、前記多孔質グリッドの前記第１の表面に位置し、前記突起の前記第２の端部は、前記突起の前記第１の端部の反対側にあり、前記突起の前記第２の端部は、テーパ状端部を備えている、請求項１０に記載の装置。
【請求項１２】
前記少なくとも１つの支持体は、一連の支持体を備え、前記一連の支持体は、前記筐体の前記内部コンパートメントの中に設置されるカートリッジが異なる高さに位置付けられることを可能にする、請求項１に記載の装置。
【請求項１３】
前記一連の支持体は、前記内部コンパートメントの各側面上に位置する一連の段を備え、各支持体は、前記内部コンパートメントの反対側に前記内部コンパートメント内に補完的支持体を有する、請求項１２に記載の装置。
【請求項１４】
前記カートリッジは、上側部品と、下側部品とを備えている２つの部品を有し、前記上側部品および前記下側部品は、接続手段を用いて一緒に調節可能に接続される、請求項７に記載の装置。
【請求項１５】
接続手段は、戻り止めと、キャッチとを備え、前記上側部品または前記下側部品のうちの１つは、少なくとも１つの戻り止めを有し、前記戻り止めがない前記部品は、少なくとも１つのキャッチを有し、一方の部品の前記キャッチは、他方の部品の前記戻り止めを受け取るように適合され、前記戻り止めおよびキャッチは、前記上側部品を前記下側部品に接合し、前記カートリッジを形成する、請求項８に記載の装置。
【請求項１６】
前記上側部品は、第１の端部と、第２の端部と、前記上側部品の第１の端部を前記上側部品の第２の端部に接合する側面とを有し、前記上側部品の第１の端部は、開口部を有し、前記上側部品の側面は、前記戻り止めを有し、
前記下側部品は、第１の端部と、第２の端部と、前記下側部品の第１の端部を前記下側部品の第２の端部に接合する側面とを有し、前記下側部品の第２の端部は、開口部を有し、前記下側部品の側面は、前記少なくとも１つのキャッチを有し、前記キャッチは、前記第１の上側部品および前記第２の下側部品が前記戻り止めおよびキャッチを介して接続されるように、前記上側部分の戻り止めを受け取るように適合されている、
請求項１５に記載の装置。
【請求項１７】
前記下側部品の前記第２の端部は、前記下側部品の側面の外部表面が、前記上側部品の側面の内部表面に接触するように、前記上側部品の前記第１の端部の開口部の中に収まるようにサイズを決定され、成形され、前記上側部品の前記側面の内部表面上に少なくとも２つの戻り止めが存在し、前記下側部品の前記外部表面内に位置する複数のキャッチが存在する、請求項１６に記載の装置。
【請求項１８】
前記複数のキャッチは、前記下側部品の前記第２の端部の近傍に位置付けられた前記下側部品の前記外部側面に沿って位置付けられており、それによって、前記キャッチは、前記カートリッジの全長が調節されることを可能にし、前記カートリッジが前記装置の前記内部コンパートメント内に位置付けられるとき、前記下側部品の前記第１の端部が、前記ノズルのより近くまたはより遠くに位置付けられることを可能にする、請求項１７に記載の装置。
【請求項１９】
固体化学物質から水溶液を形成するための少なくとも１つの追加のモジュールであって、各追加のモジュールは、
ａ）上部と、側面と、底部とを有する追加の筐体であって、前記上部および前記底部は、前記側面によって互いに接続され、前記上部、前記側面、および前記底部は、追加の内部コンパートメントを形成し、前記追加の筐体は、上側部分と、下側部分とを有する、筐体と、
ｂ）前記追加の筐体の前記下側部分の中に位置している追加の入口であって、前記追加の入口は、前記固体化学物質と接触させられるべき水が前記追加の筐体に進入することを可能にする、追加の入口と、
ｃ）前記追加の筐体の前記上側部分の中に位置している追加の出口であって、前記追加の出口は、前記固体化学物質と接触させられた前記水が前記追加の筐体から退出することを可能にする、追加の出口と、
ｄ）前記追加の内部コンパートメント内に配置された追加のノズルであって、前記追加のノズルは、前記水の追加の入口に接続され、前記追加のノズルは、前記追加の筐体の前記下側部分において前記追加の筐体の前記追加の内部コンパートメント内に位置し、前記追加の入口を通って前記追加の筐体に進入する水が、前記追加の内部コンパートメント内の前記固体化学物質と接触することを可能にする、追加のノズルと、
ｅ）前記追加のノズルと前記追加の筐体の前記上部との間に位置付けられ、前記追加の内部コンパートメント内に位置している少なくとも１つの支持体であって、前記支持体は、前記固体化学物質を含むカートリッジを受け取り、それを前記追加の筐体の前記追加の内部コンパートメント内に位置付けるように、または前記筐体内で固体化学物質を支持するように適合されている、支持体と
を備えている、請求項１に記載の装置。
【請求項２０】
少なくとも１つの追加の水処理モジュールは、前記入口および前記追加の入口が単一の給水パイプに接続され、前記出口および前記追加の出口が同一の帰還パイプに接続されるように、第１の水処理モジュールと直列にある、請求項１９に記載の装置。
【請求項２１】
給水ラインと、水帰還ラインとをさらに備え、前記給水ラインおよび前記水帰還ラインは、主要流動ラインのバイパスラインを形成し、前記給水ラインは、第１の圧力を有する場所において水を移すように位置付けられ、前記水帰還ラインは、前記主要流動ラインの中の前記第１の圧力よりも低い第２の圧力を有する場所において処理済み水を戻すように位置付けられている、請求項１に記載の装置。
【請求項２２】
前記支持体は、多孔質グリッドを備え、前記多孔質グリッドは、第１の表面と、反対側の第２の表面とを有し、前記第１の表面は、前記第１の表面から離れ、前記カートリッジの前記内側チャンバに向かって外向きに延びている複数の突起を備え、前記多孔質グリッドの前記第２の表面は、前記カートリッジの前記内部チャンバから見て外方に向いている、請求項１に記載の装置。
【請求項２３】
固体化学物質を保持するためのカートリッジであって、前記カートリッジは、第１の端部と、第２の端部と、前記第１の端部を前記第２の端部に接続する側壁とを有し、前記第１の端部、第２の端部、および側壁は、内部チャンバを形成し、前記内部チャンバは、固体化学物質を含み、前記カートリッジは、水処理装置の内部コンパートメントの中に収まるように適合されており、前記カートリッジの前記第１の端部は、水が前記内部チャンバ内の固体化学物質と接触することを可能にするための多孔質グリッドを備え、前記多孔質グリッドは、第１の表面と、反対側の第２の表面とを有し、前記第１の表面は、前記第１の表面から離れ、前記カートリッジの前記内側チャンバに向かって外向きに延びている複数の突起を備え、前記多孔質グリッドの前記第２の表面は、前記カートリッジの前記内部チャンバから見て外方に向いている、カートリッジ。
【請求項２４】
前記複数の突起は、第１の端部と、第２の端部とを有し、前記第１の端部は、前記多孔質グリッドの前記第１の表面に位置し、前記第２の端部は、前記突起の前記第１の端部の反対側にあり、前記第２の端部は、テーパ状端部を備えている、請求項２３に記載のカートリッジ。
【請求項２５】
前記カートリッジは、上側部品と、下側部品とを備えている２つの部品を有し、前記上側部品および前記下側部品は、接続手段を用いて一緒に調節可能に接続される、請求項２３に記載のカートリッジ。
【請求項２６】
前記上側部品は、第１の端部と、第２の端部と、前記上側部品の前記第１の端部を前記上側部品の前記第２の端部に接合する側面とを有し、前記上側部品の前記第１の端部は、開口部を有し、前記上側部品の前記側面は、前記戻り止めを有し、
前記下側部品は、第１の端部と、第２の端部と、前記下側部品の第１の端部を前記下側部品の前記第２の端部に接合する側面とを有し、前記下側部品の前記第２の端部は、開口部を有し、前記下側部品の前記側面は、前記少なくとも１つのキャッチを有し、前記キャッチは、前記第１の上側部品および前記第２の下側部品が、前記戻り止めおよびキャッチを介して接続されるように、前記上側部分の前記戻り止めを受け取るように適合されている、請求項２５に記載のカートリッジ。
【請求項２７】
水を使用して固体化学物質から化学溶液を作成する方法であって、前記方法は、主要水流ラインからのバイパスライン上に請求項１に記載の装置を設置することと、前記バイパスラインを通して前記主要水流ラインから水を流動させることと、化学溶液を前記主要水流ラインに戻すこととを含む、方法。
【発明の詳細な説明】
【技術分野】
【０００１】
（関連出願）
【０００２】
本願は、米国仮特許出願第６２／４２１，５５９号（２０１６年１１月１４日出願）に基づき、それに対する優先権を主張し、上記出願は、参照により本明細書に組み込まれる。
【０００３】
（発明の分野）
【０００４】
本発明は、化学物質の水溶液を形成する装置と、装置を用いて化学溶液を形成する方法とに関する。
【背景技術】
【０００５】
（発明の背景）
【０００６】
化学水溶液を形成するための装置が、公知である。１つの特定の使用分野では、化学溶液を形成するための装置は、水処理化学物質の化学溶液を形成するために使用される。プール、スパ等のためのいくつかの水処理化学物質は、定期的なスケジュールで比較的少量において水に添加される必要がある。大抵の場合、これらの化学物質は、プール所有者またはプールメンテナンス会社によって手動で添加される。しかしながら、これは、時間がかかり、これらの化学物質を展開し、水中の化学物質の正しい平衡を維持するために、定期的にプールサイドにいるように所有者またはメンテナンス会社に要求し得る。
【０００７】
溶解可能な錠剤、徐放調合剤等のプール用化学物質を添加する方法も、使用されることができる。しかし、プールまたはスパの水の流量もしくは流動の欠如に応じて、これらの溶解可能な錠剤、徐放調合剤等を使用することは、過剰なまたは十分ではない水処理化学物質を、処理されているプール、スパ、または水域に添加させ得る。
【０００８】
水処理装置は、主要水流が装置を通して流動させられる、インライン装置であることができる、またはオフライン装置であることができる。インライン装置は、多くの場合、装置を通して高い流量を有し、オフライン装置は、典型的には、概して、毎分０．２５ガロン〜約３ガロンの低い流量を有する。しかしながら、そのような低い流量を用いると、化学物質を効果的に溶解させ、化学溶液の機能を遂行するために十分な化学物質を伴う溶液を取得するために、低速溶解化学物質にわたって十分な流量を得ることは、困難であり得る。
【０００９】
故に、当技術分野では、処理される水の中に、十分であるが過剰ではない化学物質を入れることによって、装置を通して比較的低流量の水を使用して、効果的な様式で低速溶解化学物質を効果的に溶解させ得る、水処理装置の必要性が存在する。本発明は、その必要性への回答を提供する。
【発明の概要】
【発明が解決しようとする課題】
【００１０】
（発明の要約）
【００１１】
本発明は、固体化学物質から化学物質の水溶液を形成するための装置を提供する。装置は、比較的低い流量を使用して、水中で低速溶解固体化学物質を溶解させることに効果的である。
【課題を解決するための手段】
【００１２】
本発明の一実施形態では、上部、側面、および底部を伴う筐体を有する、装置が提供される。上部および底部は、側面によって互いに接続される。上部、側面、および底部は、内部コンパートメントを形成し、筐体は、上側部分と、下側部分とを有する。筐体の中には、筐体の下側部分の中に位置している入口がある。入口は、水が、筐体に進入する固体化学物質と接触させられることを可能にする。筐体はまた、筐体の上側部分の中に位置している出口も有する。出口は、固体化学物質と接触させられた水が筐体から退出することを可能にする。筐体の内部コンパートメント内には、ノズルがある。ノズルは、水入口に接続され、ノズルは、筐体の下側部分の中の筐体の内部コンパートメント内に位置する。ノズルは、入口を通して筐体に進入する水が固体化学物質と接触することを可能にする。また、ノズルと筐体の上部との間に位置付けられる、筐体の内部コンパートメント内に位置している少なくとも１つの支持体も存在する。支持体は、筐体の内部コンパートメント内に固体化学物質を含むカートリッジを受け取り、位置付けるように、または筐体の中で固体化学物質を支持するように適合される。
【００１３】
さらなる実施形態では、筐体の上部は、固体化学物質を含むカートリッジまたは固体化学物質が筐体の中に挿入されることを可能にする開口部を有する。装置はまた、キャップも有し、キャップは、筐体の開口部をおおうように、かつ筐体の上部との水密接続を形成するように適合される。キャップは、開口部をあらわにするために、かつ固体化学物質または固体化学物質を含むカートリッジが筐体の内部コンパートメントの中に挿入されることを可能にするために、筐体から除去可能である。
【００１４】
本発明の別の実施形態では、装置のノズルは、エダクターである。エダクターは、エダクターから筐体の上部に向かわされる水流が筐体内に存在するように、筐体の中に位置付けられる。エダクターは、ベンチュリ効果を生成し、筐体の下側部分の中の水が、エダクターに引き込まれ、筐体の上部に向かって噴霧されることを可能にする、少なくとも１つの流体吸入ポートを有する。
【００１５】
本発明のさらに別の実施形態では、装置は、除去可能カートリッジを有する。本除去可能カートリッジは、第１の端部と、第２の端部と、第１の端部を第２の端部に接続する側壁とを有する。第１の端部、第２の端部、および側壁は、内部チャンバを形成する。内部チャンバは、固体化学物質を含み、除去可能カートリッジは、筐体の上部と筐体の内部コンパートメントの中に位置している少なくとも１つの支持体との間の筐体の内部コンパートメントの中に収まるように適合される。除去可能カートリッジは、筐体内の該開口部を通して内部コンパートメントの中に挿入され得る。カートリッジの第１の端部は、多孔質グリッドを有し、カートリッジが筐体の内部コンパートメントの中に位置付けられるとき、カートリッジは、第１の端部がノズルの近傍に位置付けられ、第２の端部が筐体の上部の近傍に位置付けられるように、筐体の中に挿入される。多孔質グリッドは、第１の表面と、反対側の第２の表面とを有する。第１の表面は、第１の表面から離れ、カートリッジの内側チャンバに向かって外向きに延びている複数の突起を備えている。多孔質グリッドの第２の表面は、カートリッジの内部チャンバから見て外方に向いている。複数の突起は、第１の表面から略垂直方向に延びている。さらに、複数の突起は、第１の端部と、第２の端部とを有し、第１の端部は、多孔質グリッドの第１の表面に位置し、第２の端部は、突起の第１の端部の反対側にある。突起の第２の端部は、テーパ状端部を備えている。
【００１６】
さらなる実施形態では、少なくとも１つの支持体は、筐体の内部コンパートメントの中に設置されるカートリッジが、異なる高さに位置付けられることを可能にする、一連の支持体である。一連の支持体は、内部コンパートメントの各側面上に位置する一連の段を備え、各支持体は、内部コンパートメントの反対側で内部コンパートメント内に補完的支持体を有する。
【００１７】
追加の実施形態では、カートリッジは、調節可能な長さを有する。調節可能な長さは、上側部品と、下側部品とを含む、２つの部品を伴うカートリッジを有することによって、作成される。上側部品および部品は、接続手段を用いて一緒に調節可能に接続される。接続手段は、戻り止めと、キャッチシステムとを含み得る。上側部品または下側部品のうちの１つは、少なくとも１つの戻り止めを有し、戻り止めがない部品は、少なくとも１つのキャッチを有する。一方の部品のキャッチは、他方の部品の戻り止めを受け取るように適合され、戻り止めおよびキャッチは、上側部品を下側部品に接合し、カートリッジを形成する。戻り止めおよびキャッチは、それらが相互から解放可能であるようなものである。
【００１８】
特定の実施形態では、調節可能長カートリッジの上側部品は、第１の端部と、第２の端部と、上側部品の第１の端部を上側部品の第２の端部に接合する側面とを有し、上側部品の第１の端部は、開口部を有し、上側部品の側面は、戻り止めを有する。調節可能長カートリッジの下側部品は、第１の端部と、第２の端部と、下側部品の第１の端部を下側部品の第２の端部に接合する側面とを有し、下側部品の第２の端部は、開口部を有し、下側部品の側面は、少なくとも１つのキャッチを有する。キャッチは、第１の上側部品および第２の下側部品が、戻り止めおよびキャッチを介して接続されるように、上側部分の戻り止めを受け取るように適合される。さらなる実施形態では、下側部品の第２の端部は、下側部品の側面の外部表面が、上側部品の側面の内部表面に接触するように、上側部品の第１の端部の開口部の中に収まるようにサイズを決定され、成形される。さらに、上側部品の側面の内部表面上に少なくとも２つの戻り止めが存在し、下側部品の外部表面内に位置する複数のキャッチが存在する。
【００１９】
さらなる実施形態では、装置は、一緒に連結される一連のモジュールであり得る。固体化学物質から水溶液を形成するための少なくとも１つの追加のモジュールが、提供される。装置の各追加のモジュールは、上記に説明される装置と同一の一般構造を有する。各追加のモジュールは、上部と、側面と、底部とを有する追加の筐体を有し、上部および底部は、側面によって互いに接続される。上部、側面、および底部は、追加の内部コンパートメントを形成し、追加の筐体は、上側部分と、下側部分とを有する。さらに、追加の筐体の下側部分の中に位置している追加の入口であって、固体化学物質と接触させられるべき水が追加の筐体に進入することを可能にする、追加の入口が存在する。また、追加の筐体の上側部分の中に位置している追加の出口であって、固体化学物質と接触させられた水が追加の筐体から退出することを可能にする、追加の出口も存在する。加えて、追加の内部コンパートメント内に配置された追加のノズルが存在する。追加のノズルは、水の追加の入口に接続され、該追加のノズルは、追加の筐体の下側部分の中の追加の筐体の追加の内部コンパートメント内に位置し、追加のノズルは、追加の入口を通して追加の筐体に進入する水が、追加の内部コンパートメント内の固体化学物質と接触することを可能にする。追加のモジュールはさらに、追加のノズルと追加の筐体の上部との間に位置付けられる、追加の内部コンパートメント内に位置している少なくとも１つの支持体を有する。支持体は、追加の筐体の追加の内部コンパートメント内に固体化学物質を含むカートリッジを受け取り、位置付けるように、または追加の筐体内で固体化学物質を支持するように適合される。
【００２０】
追加のモジュールを伴う追加の実施形態では、少なくとも１つの追加の水処理モジュールは、入口および追加の入口が単一の給水パイプに接続され、出口および追加の出口が同一の帰還パイプに接続されるように、第１の水処理モジュールと直列にある。給水ラインは、第１の圧力を有する場所において水を移すように位置付けられ、水帰還ラインは、第１の圧力よりも低い第２の圧力を有する、主要流動ラインの中の場所において処理済み水を戻すように位置付けられる。
【００２１】
別の実施形態では、水を使用して、固体化学物質から化学溶液を作成する方法が、提供される。方法は、主要水流ラインからのバイパスライン上に上記に説明される装置を設置するステップと、バイパスラインを通して主要水流ラインから水を流動させるステップとを含む。形成された水溶液は、次いで、主要水流ラインに戻される。
【図面の簡単な説明】
【００２２】
【図１】図１は、本開示の範囲内の装置を示す。
【図２】図２は、装置で使用可能なノズルを示す。
【図３】図３は、階段様高さを伴う支持体を示す。
【図４】図４は、除去可能な上部を伴う筐体を示す。
【図４Ａ】図４は、除去可能な上部および筐体の中に挿入されるカートリッジを伴う筐体を示す。
【図５】図５は、複数の固体の形態でカートリッジの中に固体化学物質を伴うカートリッジを示す。
【図６】図６は、単一構造の形態でカートリッジの中に固体化学物質を伴うカートリッジを示す。
【図７】図７は、カートリッジの一方の端部上に存在するグリッドを示す。
【図８】図８は、複数の突起を伴う代替的グリッドを示す。
【図９】図９は、複数の突起を伴うグリッドとともに代替的カートリッジを示す。
【図１０】図１０は、本発明で使用可能な調節可能カートリッジの拡大図を示す。
【図１０Ａ】図１０Ａは、延長構成時の本発明で使用可能な調節可能カートリッジを示す。
【図１０Ｂ】図１０Ｂは、短縮構成時の本発明で使用可能な調節可能カートリッジを示す。
【図１１】図１１は、装置の筐体の中に設置された調節可能カートリッジの断面を示す。
【図１２】図１２は、装置への流動を達成するための主要ラインタップおよび主要ラインへの帰還を示す。
【発明を実施するための形態】
【００２３】
（好ましい実施形態の詳細な説明）
【００２４】
現在、本明細書に説明されるような装置は、装置からの固体の低速溶解化学物質を水の中へ投与し、化学溶液を形成することに効果的であることが、意外にも見出されている。溶液は、水泳プール、スパ、または都市用給水のため等の水処理溶液であり得る。図１を参照すると、固体化学物質を水に投与し、固体化学物質の水溶液を形成するための装置１０は、筐体１２と、上部１３と、側面１５と、上部１３から反対側に位置付けられる底部１７とを有する。図１に示されるように、上部１３および底部１７は、側面１５によって互いに接続される。上部１３、側面１５、および底部１７は、内部コンパートメント２０を形成する。内部コンパートメント２０は、固体化学物質７０を受容および保持するように設計される。側面１５は、円筒形を形成するもの等の連続表面であり得る、または側面１５は、多角形断面形状、例えば、ほんの数例を挙げると、三角形、正方形、五角形、長方形、もしくは六角形を形成する、一連のパネルであり得る。側面１５の形状は、装置の機能にとって重要ではないが、側面の形状は、装置１０の中に挿入される固体化学物質のタイプを指定するために使用され得る。これは、以下により詳細に説明されるであろう。典型的には、製造しやすさの視点から、側面１５は、概して、円筒形を形成するであろう。装置１０はまた、随意に、使用中に、もしくは使用場所において、および／または単一のユニット内に装置の全ての特徴を組み込むために、損傷から装置を保護する外側シェル１１を有し得る。外側シェル１１は、随意に、ある程度の審美性を装置に提供し得る。
【００２５】
内部コンパートメント２０は、下側部分１８と、上側部分１９とを有する。下側部分１８は、概して、固体化学物質が存在する場所の下方の内部コンパートメントの容積によって画定される。上側部分１９は、概して、固体化学物質７０が存在する内部コンパートメント２０の容積によって画定される。
【００２６】
装置１０はまた、好ましくは、底部１７の近位の位置において、筐体１２の下側部分１８の中に位置する、入口２１も有する。入口２１は、固体化学物質と接触させられるべき水が底部１７（図１に示されるような）または側面１５（図示せず）を通して筐体１２に進入することを可能にし、水が内部コンパートメント２０の中へ進入することを可能にする、筐体の中に位置する開口部である。入口２１は、コンパートメント２０の中に位置する内部側面と、筐体１２の外面上に位置する外部側面とを有するであろう。また、筐体１２の上側部分１９の中に位置する出口２５も存在する。出口２５は、固体化学物質または溶液と接触させられた水が、筐体１２の内部コンパートメント２０から退出することを可能にする。入口２１のように、出口２５は、コンパートメント２０の中に位置する内部側面と、筐体の外側に位置する外部側面とを有する。出口２５は、図１に示されるように、上部１３の近位の位置において筐体１２の側面１５の中に位置し得る、または上部１３を通して筐体１２から退出し得る（図示せず）。入口は、給水ライン２２と接続され、出口は、処理済み水輸送ライン２３に接続される。
【００２７】
配水デバイスまたはノズル１６が、入口２１の内部側面上の筐体１２の水入口２１に接続される。配水デバイスまたはノズル１６は、入口２１を通して筐体１２に進入する水が、図１に示されるようにカートリッジ６０に位置し得る、または内部コンパートメント２０の中に直接設置され得る（図示せず）、固体化学物質７０に接触することを可能にする。例示的配水デバイスまたはノズル１６は、スプレーノズルを含む。概して、スプレーノズルは、概して、処理される水煙を、内部コンパートメント２０の下側部分１８から内部コンパートメント２０の上側部分１９に向かって噴霧または押動するであろう。任意のスプレーノズルが、使用され得る。しかしながら、意図された固体化学物質が低速溶解固体化学物質であることを考慮すると、ノズルは、固体化学物質と接触するために十分な流量を有するであろうものであるように選択されるべきである。１つの特定のスプレーノズルは、タンク混合エダクター等のエダクターである。
【００２８】
ノズル１６は、内部コンパートメント２０の中に搭載され、入口２１を通して進入する水を固体化学物質７０に向かって放出する。本実施形態では、ノズル１６は、内部コンパートメント２０の下側部分１８内に垂直に搭載される、エダクター１６’（図２に示される）を備えている。このようにして、エダクター１６’から退出する流体は、固体化学物質７０に向かって上向きに向かわされる。図２に示されるように、エダクター１６’は、結合器４９を通して給水ライン２２に接続する入口ポート４４を有する。エダクター１６’は、送給ラインからの水を送給装置の中ですでに形成されている化学溶液と混合し、ベンチュリ効果を生成する吸入ポート４２を通して溶液を引き込むように構成される。図２は、エダクター１６’の詳細を図示す。好適なエダクターは、例えば、Ｓｐｒａｙｉｎｇ  Ｓｙｓｔｅｍｓ  Ｃｏ．（Ｗｈｅａｔｏｎ，Ｉｌｌ）からの「タンク混合エダクター」を含む。エダクター１６’は、給水ライン２２に接続する入口ポート４４と、放出ポート４１とを有する。エダクター１６’はまた、ベンチュリ効果を生成し、それによって、矢印４３によって図式的に図示されるように、エダクター１６’の中へ化学溶液を引き戻す、流体吸入ポート４２も有する。これは、エダクター１６’からの放出６０を作成する。放出は、内部の下側部分１８の中の化学溶液の混合物である。
【００２９】
図１を再び参照すると、外部側面上の入口２１にはまた、第１の給水パイプ２２も接続される。給水パイプ２２は、随意に、入口２１の前であるが、第１の給水パイプ２２にインライン接続される流量計１４を有し得る。流量計１４は、随意に、逆止弁機能も有し得る。構造の例は、流量計の底部に流入し、流量計の上部から退出する水を含む。流量計の外側は、流量計の内部が見えることを可能にする、ゲージまたはスケールを有する。内部は、流量計の出口に向かって移動する、浮揚物、概して、ボールを有する。流量計を通した流動がないとき、浮揚物またはボールが座部に位置し、水が流量計を通して逆流しないように防止し、それによって、逆止弁を作成する。随意に、給水ライン２２は、給水弁または遮断弁（図示せず）も有し得る。給水弁は、例えば、装置の保守中、例えば、筐体１２の内部コンパートメント２０の中へ固体化学物質を再装填している間に、水が装置に進入しないように阻止されることを可能にする。代替として、給水弁は、装置の入口２１の中への水の流量を調節するために使用され得る。
【００３０】
出口２５には、固体処理化学物質（化学溶液）で処理される水を意図された使用の場所に輸送する、処理済み水輸送ライン２３に接続される。処理済み水輸送パイプ２３は、随意に、ライン２３の中に位置する出口遮断弁を有し得る。出口遮断弁（図示せず）は、例えば、装置の保守、例えば、固体化学物質の再装填中に、水が装置１０から退出しないように阻止されることを可能にする。これはまた、装置を固体化学物質で処理されている水域から単離する目的も果たす。
【００３１】
また、装置の中には、筐体１２の内部コンパートメント２０内に位置する支持体３６も存在する。支持体３６は、ノズル１６と筐体１２の上部１３との中間（すなわち、間）の位置において筐体１２の側面１５の内部表面に適合される。配水デバイス（すなわち、ノズル１６）の上方の同一の距離に、単一の支持体３６または複数の支持体が存在し得る。単一の支持体３６は、連続支持体であり得、支持体が内部表面上にループを完成させることを意味する。支持体３６は、配水デバイスが、固体化学物質を処理される水と接触させ得るように、配水デバイス１６の上方に化学物質を支持して位置付ける役割を果たす。特定の実施形態では、支持体３６は、筐体の内部コンパートメント２０内の定位置で、下記でより詳細に説明されるカートリッジ７２を支持および保持する役割を果たし得る。カートリッジ７２は、固体化学物質７０を含み、筐体１２の内部コンパートメント２０内に固体化学物質を位置付けるであろう。
【００３２】
１つの特定の実施形態では、支持体３６は、異なる高さにおける一連の支持体であり得る。一連の支持体は、固体化学物質７０を保持するカートリッジ７２が、ノズル１６のより近くまたはより遠くに位置付けられ得るように、異なる高さにあり得る。概して、異なる高さに一連の支持体３６がある場合、側面１５の内部表面上で内部コンパートメント２０を直接横断して位置する同一の高度もしくは位置に、またはカートリッジを支持するであろう幾何学的位置に設定される、補完的支持体が存在するであろう。側面１５の内部表面が円であることを考慮すると、１８０度離れた２つの支持体１８０、１２０度離れた３つの支持体、９０度離れた４つの支持体等が存在する場合、補完的支持体は、幾何学的位置にあろう。１つの特定の実施形態では、一連の支持体３６は、図３に示されるように、階段のような様式で設定され得る。各場合において、内部コンパートメントの中に位置している、少なくとも１つの補完的支持体が存在する。代替実施形態では、支持体３６は、下記でより詳細に解説されるであろうように、筐体１２の上部の近傍にあり、カートリッジの上部の近傍でカートリッジ７２を支持し得る。
【００３３】
図４を参照すると、筐体１２の上部１３はさらに、開口部５０を有し、装置１０はさらに、筐体１２の上部１３と水密接続を形成するように適合されるキャップ５２を有する。キャップ５２は、筐体１２の上部１３から除去可能であり得、これは、固体化学物質が筐体１２の内部コンパートメント２０の中に挿入されることを可能にするであろう。任意の好適な手段が、水密シールを作成するために使用され得る。例示的方法は、キャップ５２と関連付けられるシール５４を有するステップを含む。加えて、図４に示されるように、キャップ５２は、筐体の上部１３の上に螺合され得る。筐体の上部１３は、ねじ山５６を提供され、キャップ５２は、上部１３に接触するキャップ５２の一部の上に位置する補完的ねじ山５８を有する。ねじ山５６は、キャップ５２を筐体１２の上部に取り付けるために１回またはそれを上回る旋回でキャップ５２が旋回されることを要求する、従来のねじ山であり得る、またはキャップ５２の８分の１、４分の１、２分の１、もしくは４分の３等のキャップの部分的完全旋回を用いて、キャップが筐体１２の上部１３の上に設置されることを可能にする、バヨネットねじ山であり得る。当然ながら、バヨネットマウントが使用される場合、キャップ５２上のねじ山５８は、筐体１２の上部１３の上のねじ山５６を補完するように作製されなければならない。キャップ５２を上部１３に固着するための他の手段も、本発明の範囲から逸脱することなく使用され得ることに留意されたい。例えば、上部１３は、上部１３が定位置に枢動し、定位置に係止して水密シールを作成する方法で、筐体１２に取り付けられ得る。
【００３４】
図４Ａを参照すると、装置１０では、固体化学物質は、概して、開口部５０を通して筐体１２の内部コンパートメント（図４に示されていない）の中に挿入される。固体化学物質は、固体化学物質自体であり得る、または固体化学物質は、カートリッジ７２の中に位置し得る。カートリッジ７２は、筐体１２の内部コンパートメントの中に挿入されるように適合され、筐体１２の内部コンパートメントは、カートリッジ７２を受信するように適合される。カートリッジ７２は、概して、図４Ａに示されるように、筐体の上部１３内の開口部５０を通して挿入される。
【００３５】
一実施形態では、図４Ａ、５、および６を参照すると、カートリッジ７２は、第１の端部６１と、第１の端部６１から反対側に位置付けられる第２の端部６２とを有するであろう。カートリッジ７２はまた、第１の端部６１を第２の端部６２に接続する、側壁６３を有するであろう。側壁６３、第１の端部６１、および第２の端部６２は、内部チャンバ６４を形成する。固体化学物質７０は、図５および図６に示されるように、内部チャンバ６４の中に位置する、または挿入されるであろう。典型的には、カートリッジの第１の端部６１は、カートリッジ７２の第１の端部６１がノズル１６の近傍に位置付けられるように、開口部５０を通して筐体１２の中に設置される。カートリッジ７２の第１の端部６１は、グリッド内に開口部６８を有する、図７に示される多孔質グリッド６６を有し得る。開口部６８は、水ノズル１６から放出される水が、グリッド６６を通過し、カートリッジの内部チャンバ６４の中の固体化学物質７０に接触することを可能にする。典型的には、図５および６に示されるように、カートリッジ７２は、内部コンパートメントの中に固体化学物質７０を含むであろう。図５に示されるように、固体化学物質７０は、いくつかの明確に異なる固体物品であり得る。代替として、図６に示されるように、固体化学物質７０は、単一構造であり得る。カートリッジの第１の端部６１は、貯蔵および出荷中に固体化学物質を保護するように、キャップ、フィルム、箔等、またはそれらの組み合わせで被覆され得る。第２の端部６２は、貯蔵および出荷中に固体化学物質を保護するように、閉鎖される、またはキャップ、フィルム、箔等、もしくはそれらの組み合わせで被覆され得る。一実施形態では、第１の端部６１は、処理される水が配水デバイス１６からのフィルムに接触するときに溶解する、水溶性フィルムで被覆され得る。
【００３６】
グリッド６６は、固体化学物質が配水デバイス１６に直接接触しないように、カートリッジ７２の中で固体化学物質７０を保持する役割を果たす。固体化学物質を保持するカートリッジ７２が使用されない場合、グリッドまたは他の類似構造が、筐体１２の内部コンパートメント２０の中で配水デバイス１６から離間された固体化学物質を保持するために使用されるであろう。概して、支持体３６は、カートリッジ７２が使用されない場合、グリッド構造であり得る。代替として、支持体３６は、たとえカートリッジが使用されたとしても、グリッド構造であり得る。そのような場合において、カートリッジにグリッドを提供する必要はないであろう。
【００３７】
特定の実施形態では、グリッド６６は、図８に示されるような構造を有し得る。本構造では、多孔質グリッド６６は、第１の表面６５と、反対の第２の表面６７とを有する。第１の表面６５から、複数の突起６９は、第１の表面６５から離れ、カートリッジ７２の内側チャンバ６４に向かって上向きに延び、多孔質グリッド６６の第２の表面は、カートリッジ７２の内部チャンバ６４から外方を向く。これはまた、図１でも見られることができる。概して、複数の突起６９は、多孔質グリッド６６の第１の表面６５から略垂直方向に延びている。特定の実施形態では、複数の突起６９の中の突起６９の各々は、第１の端部８１と、第２の端部８３とを有する。第１の端部８１は、多孔質グリッド６６の第１の表面６５に位置し、第２の端部８３は、突起６９の第１の端部の反対側にある。図８に示されるように、突起６９の第２の端部８３は、テーパ状である。図８に示されるようなテーパ状突起６９は、最小表面積を伴う錠剤に接触する、鉛筆形状のペデスタルを形成する。化学錠剤を支持する小さい表面積は、支持体と接触する固体化学物質の表面積を最小限にすることによって、エダクター１６から退出する流動６０が装置内の固体化学物質７０により良く接触することを可能にする。これはまた、突起によって支持されないときと比較して、錠剤がより速く溶解するため、固体化学物質の送給率が増加されることも可能にするであろう。
【００３８】
カートリッジ７２は、筐体１２の内部コンパートメント２０の中に設置されるように適合され、筐体１２は、カートリッジを受け取るように適合される。「適合される」とは、カートリッジが、開口部５０の中へ、かつそれを通して嵌合し、キャップ５２が、水密シールを作成するように筐体１２の上部１３の上に位置付けられ得るように、カートリッジおよび内部コンパートメントが、カートリッジ７２を内部コンパートメント２０の中に嵌合させるようにサイズを決定され、成形されることを意味する。概して、カートリッジ７２および内部コンパートメント２０の形状は、補完的となり、各々が、内部コンパートメント２０の中のカートリッジ７２の適切な設置を可能にする形状を有することを意味する。
【００３９】
図９は、本実施形態による、装置１０で使用可能なカートリッジ７２の特定の実施形態を図示する。多孔質グリッド６６（開口部６８を伴わずに示される）は、カートリッジ７２の底端を形成し、カートリッジ７２の内部チャンバ６４の中へ上向きに指す突起６９を有する。本実施形態では、多孔質グリッド６６は、突起６９が摩耗を受けるため、カートリッジ７２から除去可能であり得、多孔質グリッドを交換することによって容易に交換され得る。
【００４０】
図９に示されるように、カートリッジ７２は、それを通して水処理錠剤が装填され得る、開口部７１を有する。開口部７１のサイズおよび形状は、カートリッジが具体的タイプの錠剤のみを受け入れるように合わせられ得、これは、適切な化学製品が装置で使用されることを確実にすることに役立つ。カートリッジはまた、その上端６２においてハンドル７３を含み得る。カートリッジ７２の側壁６３は、その中に開口部またはスロット７４、７５を有する。開口部７４は、それらがカートリッジ７２の中で一様に積層されるように、水処理化学物質７０の整合を可能にする。開口部７４および７５は、水処理化学物質７０に接触し、それで処理される水が、カートリッジ７２から退出することを可能にする。
【００４１】
本発明のさらなる実施形態では、カートリッジは、本明細書の以降では「調節可能長カートリッジ」と称される、調節可能な長さを有し得るカートリッジ７２であり得る。調節可能な長さを有する、このカートリッジ構成の一例は、図１０、１０Ａ、および１０Ｂに示される。調節可能な長さを有することによって、カートリッジ７２の底部とノズル１６との間の距離が、調節されることができる。化学物質７０がカートリッジから遠く離れるほど、化学物質７０がより遅く溶解するであろう。これは、化学物質の溶解率が所望の範囲内に調節されることを可能にするであろう。化学物質の溶解における別の要因は、水が装置に進入する割合である。より高い流量が、溶解を増加させるであろう一方で、より低い流量は、より遅い溶解率を有するであろう。調節可能カートリッジを有することによって、溶解率は、水中で所望のレベルに容易に調節されることができる。
【００４２】
図１０、１０Ａ、および１０Ｂを参照すると、調節可能長カートリッジ１７２の一実施形態が示される。調節可能長カートリッジ１７２は、上側部品１８０と、下側部品１８２とを備えている、２つの部品と、随意のキャップ１８４とを有する。キャップは、上側部品１８０に統合され得ることに留意されたい。上側部品１８０および下側部品は、２つの部品をともに接続するための接続手段を有する。カートリッジの長さが所望の長さまで延長または短縮され得るように、上側部品１８０および下側部品１８２が調節され得る限り、任意の好適な手段が、使用され得る。
【００４３】
一例では、上側部品１８０または下側部品１８２のうちの１つは、少なくとも１つの戻り止め１８５（上側部品の上に示される）を有し、戻り止めがない１８５部品は、少なくとも１つのキャッチ１８６を有する。一方の部品のキャッチ１８６は、戻り止め１８５およびキャッチ１８６が、上側部品１８０を下側部品１８２に接合し、カートリッジを形成するように、他方の部品の戻り止め１８５を受け取るように適合される。戻り止め１８５は、上側部品１８０の上に示されているが、戻り止め１８５は、実際には、本発明の精神から逸脱することなく、下側部品１８２の上に位置し得ることを理解されたい。戻り止め１８５およびキャッチ１８６は、上側部品１８０を下側部品１８２に取り付ける役割を果たす。
【００４４】
特定の実施形態では、上側部品１８０は、第１の端部１９０と、第２の端部１９１と、上側部品１８０の第１の端部１９０を上側部品１８０の第２の端部１９１に接合する側面１９２とを有する。上側部品１８０の第１の端部１９０は、開口部１９３を有する。側面１９２は、戻り止め１８５を有する。図１０に示されるように、戻り止めは、側面１９２の内面１９４上に位置する。下側部品１８２は、第１の端部１９６と、第２の端部１９７と、下側部品１８２の第１の端部１９６を下側部品１８２の第２の端部１９７に接合する側面１９８とを有する。下側部品１８２の第２の端部１９７は、開口部１９９を有する。下側部品１８２の側面１９８は、少なくとも１つのキャッチ１８６を有する。下側部品１８２の少なくとも１つのキャッチ１８６は、上側部品１８０および下側部品１８２が、戻り止め１８５およびキャッチ１８６システムを介してともに接続されるように、上側部品１８０の戻り止め１８５を受け取るように適合される。
【００４５】
下側部品１８２は、上側部品１８０の開口部１９３の中に収まるようにサイズを決定され、成形される。両方の部品のサイズおよび形状は、戻り止め１８５がキャッチ１８６に係合するであろうように、相互と補完的でなければならない。これは、上側部品１８０を下側部品１８２に接続し、それによって、カートリッジ１８２を形成する役割を果たすであろう。概して、下側部品１８２のサイズおよび形状は、上側部品１８０のように、図１０に示されるように円形であろう。円形であるとき、開口部１９９は、上側部品１８０の開口部１９３よりも小さい直径を有するであろう。これは、下側部品１８２の側面１９８の一部が上側部品１８０の開口部１９３の中へ嵌合またはスライドすることを可能にするであろう。図１０で見られ得るように、下側部品１８２の側面１９８の外部表面１９５は、上側部品１８０の側面１９２の内部表面１９４に接触するであろう。典型的には、上側部品１８２の側面１９２の内部表面１９４上に少なくとも２つの戻り止め１８５が存在し、下側部品１８２の外部表面１９５内に位置する複数のキャッチ１８６が存在する。
【００４６】
典型的には、上側部品１８０の上に２つまたはそれを上回る戻り止め１８５が存在する。図１０に示されるように、キャッチ１８６を伴う部品の上に位置する、１つを上回るキャッチ１８６が存在する。概して、キャッチ１８６を伴う部品の上に位置する、２〜１２個のキャッチ１８６が存在する。キャッチ１８６の数は、調節可能カートリッジのために必要とされる所望の調節の数を与えるように調節されることができる。キャッチは、垂直配列にあることが示されるが、しかしながら、キャッチは、本発明の範囲から逸脱することなく、垂直配列からオフセットされ得ることに留意されたい。図１０に示されるように、８つのキャッチが存在するが、６〜１０個のキャッチが、典型的には使用されるであろう。加えて、概して、下側部分の側面１９８の反対側にキャッチ１８６’の２つのセットが存在するであろう。キャッチ１８６および１８６’は、下側部品１８２が上側部品１８０内に位置付けられるときに、上側部分の戻り止め１８５がキャッチ１８６、１８６’に係合するであろうように、位置付けられる。
【００４７】
上側部品１８０の内部表面１９４上に示される戻り止め１８５は、概して、内部表面１９４からの突出である。下側部品１８２上のキャッチ１８６は、概して、上側部品の戻り止め１８５を受け入れ、それに係合するようにサイズを決定され、成形される、下側部品１８２の側面１９８内の陥凹または開口部である。加えて、上側部品の側面１９２は、移動可能であり、ばね様作用を有し、戻り止め１８５が下側部品上のキャッチ１８６と係合されたままであることを可能にするであろう、部分１７４を有する。このばね様作用は、開口部１９３から第２の表面に向かって上向きに延びている、２つのスリット１７５を側面１９２に切り込むことによって、提供され得る。これは、戻り止め１８５がキャッチ１８６を伴わずに下側部品１８２の側面１９８に係合するときに、側面１９２の部分１７４が外向きに移動することを可能にするであろう。図１０に示されるように、ばね様作用を有するであろう、２つの部分１７４が存在する。３つ、４つ、またはそれを上回る部分１７４が存在し得る。代替として、側面１９２上にばね様作用を伴う単一の部分１７４が存在し得る。
【００４８】
複数のキャッチ１８６は、下側部品１８２の外部側面１９５に沿って位置付けられ、キャッチ１８６が、カートリッジの全長が調節されることを可能にするように、第２の端部１９７の近傍に位置付けられる。図１０Ａを参照すると、上部キャッチ１８６、または下側部品１８２の開口部１９９に最も近いキャッチは、戻り止め１８５によって係合され、より長いカートリッジを作成する。これは、カートリッジ１７２が装置１０の内部コンパートメント２０内に位置付けられるときに、下側部品１８２の第１の端部１９６がノズルのより近くに位置付けられることを可能にする。図１０Ｂを参照すると、上部キャッチ１８６、または下側部品１８２の開口部１９９から最も遠いキャッチは、戻り止め１８５によって係合され、より短いカートリッジを作成する。本構成では、下側部品１８２の第１の端部１９６は、カートリッジ１７２が装置１０の内部コンパートメント２０内に位置付けられるときに、ノズルからより遠く離れて位置付けられる。
【００４９】
図１０で見られ得るように、上側部品１８０はまた、錠剤として示される固体化学物質７０が、調節可能長カートリッジ１７２の中に装填されることを可能にするであろう、開口部１７８も有する。調節可能長カートリッジの装填は、図１０Ａおよび１０Ｂに示される。キャップ１８４は、固体化学物質がカートリッジの中に挿入されることを可能にするように回転可能であり、開口部を閉鎖し、カートリッジが筐体の中に装填されているときに、固体化学物質がカートリッジから偶発的に除去されることを防止するために、回転され得る。
【００５０】
調節可能長カートリッジ１７２が使用されるとき、図１に示される支持体３６は、筐体１２の上側部分１９の中の装置１０の内部コンパートメント２０内でより高く位置付けられるであろう。この構成を示すために、図１１は、側面１５の内部表面上から延びている支持体３６を有する、筐体１２の上側部分１９の部分断面図を示す。調節可能長カートリッジ１７２は、筐体１２の内部コンパートメント２０の中に位置付けられて示される。支持体係合部材１７９は、カートリッジ上のある場所に位置する。図１０、１０Ａ、１０Ｂ、および１１に示されるように、支持体係合部材１７９は、調節可能長カートリッジ１７２の上側部品１８０の上に位置する。これは、図１０Ａの延長カートリッジが下側部分を有するであろうように、調節可能長カートリッジ１７２が装置の中に位置付けられることを可能にするであろう。
【００５１】
図１１はまた、キャッチ１８６に係合する戻り止め特徴１８５も示す。
示されるように、戻り止め１８５は、調節可能長カートリッジ１７２の上側部品１８０の内面からの突起である。キャッチ１８６は、キャッチ１８６から戻り止め１８５特徴を係脱するために、力が戻り止め１８５特徴に印加される必要があろうように、戻り止め１８５特徴を受け入れるようにサイズを決定され、成形される、下側部品１８２内の孔として示される。１つのそのような力は、戻り止めをキャッチの縁に接触させ、側面の部分１７４を外向きに移動させ、キャッチから戻り止め１８５を解放することによって、キャッチから外へ戻り止め１８５を押進させるであろう、回転力を含む。代替として、部分１７４は、力を部分１７４に印加し、キャッチから戻り止め１８５を解放することによって、ユーザによって操作され得る。
【００５２】
本開示の装置１０は、オフライン送給装置、または主要循環ラインから外れたバイパスループ上に設置される送給装置として、使用されるように設計される。これのさらなる理解を獲得するために、図１２が注目される。図１２に示されるように、主要循環ライン１００は、流動方向１０３を有する。主要循環ラインのインラインには、圧力降下を生成するであろう、デバイス１０２がある。インラインデバイスは、フィルタ、弁、加熱器、または圧力降下を生成するであろう任意の他のデバイスであり得る。バイパスライン１０８は、任意の公知の方法を使用して、主要ライン１００に接続される。例えば、Ｔ継手が、主要ラインの中に設置され得る、またはサドルクランプ等の他の方法も、使用され得る。本発明で使用するために好適である、好適なサドルクランプの例は、Ｂａｒｎｅｓに対する米国特許第７，３２９，３４３号（参照することによって本明細書に組み込まれる）に説明されている。バイパスラインのための水は、主要ライン１００に作成された出口１０５を通してバイパスラインに引き込まれる。バイパスラインに進入する水は、入口ライン２２に進入し、これは、ひいては、上記で説明されるように、水が、装置１０に進入する。処理済み水は、処理済み水輸送ライン２３に接続される帰還ライン１０９を通して、主要ラインに戻される。帰還ライン１０９は、主要ライン１００から除去される場合と類似する様式で、入口１０７を通して主要ライン１００に接続される。入口１０７および出口１０５は、同一のタイプの接続である必要はないことに留意されたい。
【００５３】
バイパスループ、ライン１０８および１０９内、ならびに装置を通した流動は、主要ライン１００内の圧力降下によって生成される。バイパスループ内の流動は、主要ライン内の圧力降下またはバイパスループ内の配管のサイズによって調節されることができる。動作中、装置１０は、水で充填される。装置の中への流量は、配管のサイズに依存する。しかし、エダクター１６’を通して装置１０に水を進入させることによって、装置内の流量は、装置に進入または退出する流量の最大２〜４倍増加される。これは、水が装置１０の中への流量よりも高い割合で固体化学物質上に接触させられることを可能にする。これは、エダクター１６’がまた、ベンチュリ効果を生成し、それによって、図２に関して上記で説明されるような矢印４３によって図式的に示されるように、エダクター１６’の中へ化学溶液（内部コンパートメント２０の中に残留する溶液）を引き戻す、流体吸入ポート４２も有するためである。内部コンパートメント２０内の流量の本増加は、たとえ装置に進入または退出する流量が固体化学物質を溶解させるために不十分であっても、固体化学物質が効率的な様式で溶解することを可能にする。
【００５４】
また、本発明によって、上記に説明される複数の装置を有するであろう、水処理システムも提供される。第２または後続の装置は、第１の装置と直列もしくは並列に位置付けられ得る。また、図１０に示されるように、ともに接続された複数の装置１０、１０’、および１０”が存在し得る。図１０に示されるように、装置１０、１０’、および１０”は、相互と並列に接続される。そのような場合において、入口２２および追加の入口２２’ならびに２２”は、主要ライン１００から引き込まれる、単一の給水パイプまたはバイパスライン１０８に接続される。同様に、出口２３および追加の出口２３’ならびに２３”は、処理済み水を主要供給ライン１００に戻すように、同一の帰還ライン１０９に接続される。大量の水が処理される必要がある場合、複数の装置１０、１０’、および１０”を使用することが望ましい。複数の装置が使用されるとき、給水パイプ１０８および帰還ライン１０９は、装置を動作させるために必要とされる水の増加に対処するために、より大きい直径である必要があろう。図１２に示されるように、３つの別個の装置が存在する。しかしながら、複数の装置が使用されるとき、使用される装置の数は、概して、２〜１０個の範囲内である。
【００５５】
本発明の装置で使用可能な固体化学物質は、典型的には、プールおよびスパで一般的に使用される消毒剤、殺藻剤、または他の水処理化学物質等の固体水処理化学物質であろう。固体化学物質は、臭素放出化学物質、塩素放出化学物質、過酸化物放出化学物質、ビグアニド放出化学物質等であり得る。固体化学物質は、殺菌剤、殺藻剤、浄化剤、ｐＨ調節剤、水質平衡剤であり得る。１つの特定の水処理化学物質は、高石灰含有量を有するもの等の低速溶解形態の次亜塩素酸カルシウムである。これは、米国特許出願公開第２０１６／０３３０９７２Ａ１号（参照することによって本明細書に組み込まれる）に説明される、低速溶解次亜塩素酸カルシウムである。
【００５６】
本発明の装置１０は、水泳プールまたはスパ、または工業用水域等の再循環水域の中に存在する水を処理するために使用され得る。概して、再循環された水域からの水は、ポンプを通して再循環ラインに引き込まれ、パイプ２４および２６は、再循環ライン上に接続される。
【００５７】
加えて、本発明の装置は、液体化学物質分注デバイス、塩素生成デバイス、活性ヒドロキシル生成デバイス、オゾン生成デバイス、紫外線デバイス等の他の水処理デバイスと併せて使用され得る。追加のデバイスは、別個のユニットである、または単一のユニットに内蔵され得る。これらの追加のデバイスは、本発明の装置と並列または直列であり得る。
【００５８】
本発明は、その具体的実施形態を参照して上記に説明されているが、多くの変更、修正、および変形例が、本明細書に開示される本発明の概念から逸脱することなく、行われることができることを理解されたい。故に、添付の請求項の精神および広い範囲内に入る、全てのそのような変更、修正、および変形例を包含することが意図される。
【図１】
2019535517.tif 000003
【図２】
2019535517.tif 000004
【図３】
2019535517.tif 000005
【図４】
2019535517.tif 000006
【図４Ａ】
2019535517.tif 000007
【図５】
2019535517.tif 000008
【図６】
2019535517.tif 000009
【図７】
2019535517.tif 000010
【図８】
2019535517.tif 000011
【図９】
2019535517.tif 000012
【図１０】
2019535517.tif 000013
【図１０Ａ】
2019535517.tif 000014
【図１０Ｂ】
2019535517.tif 000015
【図１１】
2019535517.tif 000016
【図１２】
2019535517.tif 000017
【国際調査報告】
2019535517.tif 000018
2019535517.tif 000019
2019535517.tif 000020